Podtech/llm-jp-corpus-v4-ja_patent huggingface dataset:
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
半導体ダイ上に統合された少なくとも１つの超音波トランスデューサ要素と、
前記半導体ダイ上に統合され、前記少なくとも１つの超音波トランスデューサ要素から出力される信号を処理してデジタル信号を生成するように構成されたアナログデジタル変換器（ＡＤＣ）と、
前記半導体ダイ上に統合され、前記デジタル信号を圧縮することにより、データストリームとして前記半導体ダイから送信されるように構成される圧縮信号を生成するように構成された圧縮回路と、を備え、  前記圧縮回路は、フィルタ、デシメーション回路、再量子化回路、及び論理演算装置（ＡＬＵ）をさらに備え、前記フィルタの出力は、前記デシメーション回路の入力と結合され、前記デシメーション回路の出力は、前記再量子化回路の入力と結合され、前記再量子化回路の出力は、前記ＡＬＵの入力と結合され、前記圧縮回路は、任意の画像再構成プロセスの前に前記圧縮信号を生成するように構成される、
超音波デバイス。
【請求項２】
前記圧縮回路は直交復調回路を含み、前記圧縮回路は、前記直交復調回路を使用して前記デジタル信号を圧縮するように構成される、請求項１に記載の超音波デバイス。
【請求項３】
前記圧縮回路はダウンサンプリング回路を含み、前記圧縮回路は、前記ダウンサンプリング回路を使用して前記デジタル信号を圧縮するように構成される、請求項１に記載の超音波デバイス。
【請求項４】
前記フィルタはカスケード積分櫛形（ＣＩＣ）フィルタを含み、前記圧縮回路は、前記ＣＩＣフィルタを使用して前記デジタル信号を圧縮するように構成される、請求項１に記載の超音波デバイス。
【請求項５】
前記論理演算装置は、語長の拡張、ビットシフティング、累積、及び減算からなるグループから選択される少なくとも１つの操作を前記デジタル信号に実行するように構成される、請求項１に記載の超音波デバイス。
【請求項６】
前記半導体ダイから前記データストリームを出力するように構成される出力インターフェースをさらに備える、請求項１に記載の超音波デバイス。
【請求項７】
前記出力インターフェースは、ＵＳＢ３．０インターフェース、ＵＳＢ３．１インターフェース、ＵＳＢ２．０インターフェース、Ｔｈｕｎｄｅｒｂｏｌｔインターフェース、ＦｉｒｅＷｉｒｅインターフェース、及びギガビットイーサネットインターフェースからなるグループから選択される高速シリアルインターフェースである、請求項６に記載の超音波デバイス。
【請求項８】
前記圧縮回路は、前記超音波デバイスの動作モードに少なくとも部分的に基づいて、前記デジタル信号を圧縮するように構成される、請求項１に記載の超音波デバイス。
【請求項９】
前記圧縮信号に少なくとも部分的に基づいて、画像再構成プロセスの少なくとも一部を実行するように構成された画像再構成回路をさらに含む、請求項１に記載の超音波デバイス。
【請求項１０】
前記画像再構成回路は、ビーム形成技術を使用して、画像再構成プロセスの少なくとも一部を実行するように構成される、請求項９に記載の超音波デバイス。
【請求項１１】
前記ビーム形成技術は、受信機飛行時間値及び受信アポディゼーション値の少なくとも１つが連続する走査内で再使用される、統合された逆投影技術を使用することを備える、請求項１０に記載の超音波デバイス。
【請求項１２】
前記半導体ダイ上に統合され、前記デジタル信号が前記圧縮回路によって圧縮される前に、前記デジタル信号を選択的に記憶するように構成されたメモリをさらに備える、請求項１に記載の超音波デバイス。
【請求項１３】
超音波トランスデューサ要素から出力される信号を処理するための方法であって、
前記超音波トランスデューサ要素と同じ半導体ダイ上に統合された構成要素により、前記超音波トランスデューサ要素から出力される前記信号を処理してデジタル信号を生成することと、
前記半導体ダイ上に統合された少なくとも１つの追加の構成要素により、データストリームとして前記半導体ダイから送信されるように構成される圧縮信号を、前記デジタル信号を圧縮することによって生成することと、を備え、
前記デジタル信号を圧縮することは、前記半導体ダイ上に統合されたフィルタによって前記デジタル信号をフィルタリングして、フィルタリングされた信号を生成することと、前記半導体ダイ上に統合されたデシメーション回路によって前記フィルタリングされた信号をデシメーティングして、デシメーティングされた信号を生成することと、前記半導体ダイ上に統合された再量子化回路によって前記デシメーティングされた信号を再量子化して、再量子化された信号を生成することと、前記半導体ダイ上に統合された論理演算装置（ＡＬＵ）によって前記再量子化された信号を処理することと、を備え、
前記圧縮信号は、任意の画像再構成プロセスの前に生成される、
方法。
【請求項１４】
前記デジタル信号を圧縮することは、前記デジタル信号に直交復調を実行することを備える、請求項１３に記載の方法。
【請求項１５】
前記デジタル信号を圧縮することは、前記デジタル信号をダウンサンプリングすることを備える、請求項１３に記載の方法。
【請求項１６】
前記デジタル信号をフィルタリングすることは、前記半導体ダイ上に統合されたカスケード積分櫛形（ＣＩＣ）フィルタを使用して前記デジタル信号をフィルタリングすることを備える、請求項１３に記載の方法。
【請求項１７】
前記論理演算装置を使用して前記再量子化された信号を処理することは、語長の拡張、ビットシフティング、累積、及び減算からなるグループから選択される少なくとも１つの操作を前記再量子化された信号に実行することを備える、請求項１３に記載の方法。
【請求項１８】
出力インターフェースを介して前記半導体ダイから前記データストリームを出力することをさらに備える、請求項１３に記載の方法。
【請求項１９】
前記出力インターフェースは、ＵＳＢ３．０インターフェース、ＵＳＢ３．１インターフェース、ＵＳＢ２．０インターフェース、Ｔｈｕｎｄｅｒｂｏｌｔインターフェース、ＦｉｒｅＷｉｒｅインターフェース、及びギガビットイーサネットインターフェースからなるグループから選択される高速シリアルインターフェースである、請求項１８に記載の方法。
【請求項２０】
前記デジタル信号を圧縮することは、前記超音波トランスデューサ要素を含むデバイスの動作モードに少なくとも部分的に基づいて、前記デジタル信号を圧縮することを備える、請求項１３に記載の方法。
【請求項２１】
前記圧縮信号に少なくとも部分的に基づいて、画像再構成プロセスの少なくとも一部を実行することをさらに備える、請求項１３に記載の方法。
【請求項２２】
画像再構成プロセスの少なくとも一部を実行することは、ビーム形成を実行することを備える、請求項２１に記載の方法。
【請求項２３】
ビーム形成を実行することは、受信機飛行時間値及び受信アポディゼーション値の少なくとも１つが連続する走査内で再使用される、統合された逆投影技術を使用することを備え、請求項２２に記載の方法。
【請求項２４】
前記圧縮回路によって圧縮される前記デジタル信号の圧縮の前に、前記デジタル信号を前記半導体ダイ上に統合されたメモリ内に選択的に記憶することをさらに備える、請求項１３に記載の方法。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
管状ケーシング（１５）内に配置された中空糸膜の束（１０）を収容する毛細管透析装置の製造方法であって、束（１０）の端部を円形の断面を有するように成形することにより、中空糸膜の束（１０）の端部の外周に連続した環状領域（１３、１８）を形成し；中空糸膜の束（１０）の外周上の繊維を圧縮し、一緒に溶融することを含む該方法。
【請求項２】
連続する環状領域（１３、１８）は、０．１から１ｍｍ未満の厚さを有する請求項１に記載の方法。
【請求項３】
連続する環状領域（１３、１８）は、束（１０）の長手方向に２から１５ｍｍの長さを有する請求項１または２に記載の方法。
【請求項４】
繊維束（１０）の直径は、連続する環状領域（１３、１８）内でその初期値の７０から９０％まで低減される請求項１から３のいずれか一項に記載の方法。
【請求項５】
連続する環状領域（１３、１８）は、中空糸膜の束（１０）の各端部の外周上に形成される請求項１から４のいずれか一項に記載の方法。
【請求項６】
中空糸膜の束（１０）の一端の外周上に連続する環状領域（１３）が形成された後で、中空糸膜の束（１０）が管状ケーシング（１５）に移動される請求項１から４のいずれか一項に記載の方法。
【請求項７】
移動は、環状ケーシング（１５）を通って到達し；中空糸膜の束（１０）の連続する環状領域（１３）と係合し；環状ケーシング（１５）へ中空糸膜の束（１０）を引っ張り；連続する環状領域（１３）全体を含む中空糸膜の束（１０）の端部が環状ケーシング（１５）から突出するまで引っ張り続ける工具（１４）によって行われる請求項６に記載の方法。
【請求項８】
中空糸膜の束（１０）の両端が、移動後に管状ケーシング（１５）から突出し、管状ケーシング（１５）から突出する中空糸膜の束（１０）の部分がその後に切断される、請求項７に記載の方法。
【請求項９】
管状ケーシング（１５）から突出する中空糸膜の束（１０）の部分が、切断される前に、連続する環状領域（１８）が、中空糸膜の束（１０）の第２の端部の外周上にも形成される請求項８に記載の方法。
【請求項１０】
管状ケーシング（１５）から突出する中空糸膜の束（１０）の部分が、切断されると同時に、中空糸膜の束（１０）の繊維の端部がヒートシールされる請求項８または９に記載の方法。
【請求項１１】
切断およびヒートシールが、ホットブレードまたはホットワイヤを用いて行われる請求項１０に記載の方法。
【請求項１２】
結合して円筒状空間を構成する構成に配置することができる移動可能な個々の要素（１、２、３、４）を含む、中空糸膜の束（１０）の端部の外周上に連続する環状領域（１３、１８）を形成する装置（１２、１７）。
【請求項１３】
円筒状空間が、２つの個々の要素（１）によって構成される請求項１２に記載の装置。
【請求項１４】
円筒状空間が、３つの個々の要素（２、３、４）によって構成される請求項１２に記載の装置。
【請求項１５】
個々の要素（１、２、３、４）が、加熱要素を特徴付ける請求項１２から１４のいずれか一項に記載の装置。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
水性流から生物学的汚染物質を除去するための方法であって、
酸化セリウム（ＩＶ）組成物を生物学的汚染物質含有水性流と接触させる工程であって、前記生物学的汚染物質は、細菌、酵母、藻類およびウイルスからなる群から選択され、下記の（ｉ）〜（ｉｖ）：
（ｉ）前記酸化セリウム（ＩＶ）組成物は、ｐＨ７で１６ｍＶ以下および１ｍＶ超のゼータ電位を有する；
（ｉｉ）前記酸化セリウム（ＩＶ）組成物は、０．０００１酸点／ｋｇ超かつ０．０２０酸点／ｋｇ未満の酸点濃度を有する；
（ｉｉｉ）前記酸化セリウム（ＩＶ）組成物は、ｐＨ８．８超の等電点を有する；
（ｉｖ）前記酸化セリウム（ＩＶ）組成物は、１ｎｍ超かつ１９ｎｍ未満の微結晶サイズを有する；
ことが当てはまる、工程を含み、
前記酸化セリウム（ＩＶ）組成物を前記生物学的汚染物質含有水性流と接触させる前記工程は、１ｇのＣｅＯ２かつ１時間あたり少なくとも５×１０６ＰＦＵの細菌、１ｇのＣｅＯ２かつ１時間あたり少なくとも０．３×１０６ＰＦＵの酵母、１ｇのＣｅＯ２かつ１時間あたり少なくとも０．１×１０６ＰＦＵの藻類、または、１ｇのＣｅＯ２１時間あたり少なくとも２×１０６ＰＦＵのウイルスを除去する、方法。
【請求項２】
前記生物学的汚染物質は、クレブシエラ・オキシトカ（Ｋｌｅｂｓｉｅｌｌａ  ｏｘｙｔｏｃａ）、サッカロミセス・セレビシエ（Ｓａｃｃｈａｒｏｍｙｃｅｓ  ｃｅｒｅｖｉｓｉａｅ）、セレナスタム・カプリオコルヌタム（Ｓｅｌｅｎａｓｔｕｍ  ｃａｐｒｉｏｃｏｒｎｕｔｕｍ）、およびバクテリオファージＭＳ２からなる群から選択される生物学的汚染物質である、請求項１に記載の方法。
【請求項３】
下記（ｖ）〜（ｖｉｉ）：
（ｖ）前記酸化セリウム（ＩＶ）組成物は、０．５μｍ超かつ４μｍ以下の粒径Ｄ１０を有する；
（ｖｉ）前記酸化セリウム（ＩＶ）組成物は、２μｍ超かつ２０μｍ以下の粒径Ｄ５０を有する；および
（ｖｉｉ）前記酸化セリウム（ＩＶ）組成物は、１２μｍ超かつ５０μｍ以下の粒径Ｄ９０を有する；
ことのうちの１つ以上が当てはまる、請求項１に記載の方法。
【請求項４】
ｐＨ７での前記ゼータ電位は、７．５〜１２．５ｍＶである、請求項１に記載の方法。
【請求項５】
水性流から生物学的汚染物質を除去するための方法であって、
酸化セリウム（ＩＶ）組成物を生物学的汚染物質含有水性流と接触させる工程であって、前記生物学的汚染物質は、細菌、酵母、藻類およびウイルスからなる群から選択され、前記酸化セリウム（ＩＶ）組成物は、下記（ａ）〜（ｄ）：
（ａ）ｐＨ７で１６ｍＶ未満かつ１ｍＶ超のゼータ電位を有する；
（ｂ）０．０００１酸点／ｋｇ超かつ０．０２酸点／ｋｇ未満の酸点濃度を有する；
（ｃ）ｐＨ８．８超の等電点を有する；および
（ｄ）下記（ｉ）〜（ｉｉｉ）の少なくとも１つを満たす：
（ｉ）０．５μｍ超かつ４μｍ以下の粒径Ｄ１０を有する；
（ｉｉ）２μｍ超かつ２０μｍ以下の粒径Ｄ５０を有する；および
（ｉｉｉ）１２μｍ超かつ５０μｍ以下の粒径Ｄ９０を有する；
が当てはまる、該工程を含み、
前記酸化セリウム（ＩＶ）組成物を前記生物学的汚染物質含有水性流と接触させる前記工程は、１ｇのＣｅＯ２かつ１時間あたり少なくとも５×１０６ＰＦＵの細菌、１ｇのＣｅＯ２かつ１時間あたり少なくとも０．３×１０６ＰＦＵの酵母、１ｇのＣｅＯ２かつ１時間あたり少なくとも０．１×１０６ＰＦＵの藻類、または、１ｇのＣｅＯ２１時間あたり少なくとも２×１０６ＰＦＵのウイルスを除去する、方法。
【請求項６】
前記酸化セリウム（ＩＶ）組成物は、１ｎｍ超かつ１９ｎｍ未満の微結晶サイズを有する、請求項５に記載の方法。
【請求項７】
ｐＨ７での前記ゼータ電位は、７．５〜１２ｍＶである、請求項５に記載の方法。
【請求項８】
前記生物学的汚染物質は、クレブシエラ・オキシトカ（Ｋｌｅｂｓｉｅｌｌａ  ｏｘｙｔｏｃａ）、サッカロミセス・セレビシエ（Ｓａｃｃｈａｒｏｍｙｃｅｓ  ｃｅｒｅｖｉｓｉａｅ）、セレナスタム・カプリオコルヌタム（Ｓｅｌｅｎａｓｔｕｍ  ｃａｐｒｉｏｃｏｒｎｕｔｕｍ）、およびバクテリオファージＭＳ２からなる群から選択される生物学的汚染物質である、請求項５に記載の方法。
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
骨において実質的に平行な２つのトンネルを、前記２つのトンネルの間で制御された距離と相対的な径方向位置とを伴って作成するための器具セットであって、
前記骨を貫く第１のトンネルを作成または維持するように構成される第１の器具であって、
近位端および遠位端を伴う軸材、
前記軸材の前記遠位端の近くの、前記第１の器具の径方向位置を指定するように構成される遠位マーク、ならびに、
前記軸材の前記近位端の近くの、前記遠位マークの径方向位置と相互に関連する近位マーク
を備える第１の器具と、
中心孔から延びる２つ以上の径方向印を伴うドリル案内部であって、前記径方向印が、前記第１のトンネルと実質的に平行である第２のトンネルの作成のための半径方向を提供するために前記近位マークと並べられるように構成され、前記径方向印のうちの２つ以上が、それぞれの長さに沿って、前記中心孔から所定距離におけるそれぞれの案内孔を備える、ドリル案内部と、
前記第１のトンネルと実質的に平行である第２のトンネルを作成するために前記案内孔のうちの少なくとも１つに通されるように構成される第２の器具と
を備える器具セット。
【請求項２】
前記第１の器具が袖付きドリルを備える、請求項１に記載の器具セット。
【請求項３】
前記第１の器具が、トンネルを作成するために展開される一方で、前記袖付きドリル内で連結するように構成される内部軸材を備える、請求項２に記載の器具セット。
【請求項４】
前記ドリル案内部の前記中心孔が、前記第１の器具上に受け入れられるような大きさとされる、請求項１〜３のいずれか１項に記載の器具セット。
【請求項５】
前記ドリル案内部が円筒形のドリル案内部であり、前記中心孔が、円筒の断面中心にあり、前記ドリル案内部が前記第２のトンネルを作成するために使用される位置にあるとき、前記第１のトンネルと同心で並ぶように構成される、請求項１〜４のいずれか１項に記載の器具セット。
【請求項６】
前記ドリル案内部が、前記第１のトンネルから、作成される前記第２のトンネルまでのそれぞれの所定距離を指示するために、それぞれの径方向印と関連付けられると共に前記ドリル案内部において表示される数値を含む、請求項１〜５のいずれか１項に記載の器具セット。
【請求項７】
前記第２の器具が袖付きドリルを備える、請求項１に記載の器具セット。
【請求項８】
前記第２の器具が、トンネルを作成するために展開される一方で、前記袖付きドリル内で連結するように構成される内部軸材を備える、請求項７に記載の器具セット。
【請求項９】
前記近位マークに半径方向のより容易に認識可能な表示を提供するために、前記近位マークと径方向で並ぶように構成される径方向マークを備える取付具をさらに備える、請求項１〜８のいずれか１項に記載の器具セット。
【請求項１０】
請求項１〜９のいずれか１項の器具セットと、前記器具セットで作成される実質的に平行な２つのトンネルの一方または両方を通じて挿入される１つまたは複数の長さの縫合糸とを備えるキット。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
対象に対してスキンケア手順を実行するためのスキンケア装置であって、前記スキンケア装置は、
交換可能な処置ヘッドを受容し、スキンケア手順を実行するよう該処置ヘッドを駆動するための、駆動系であって、前記交換可能な処置ヘッドを受容するための駆動シャフトと、前記駆動シャフトを回転させる及び／又は前記駆動シャフトに振動運動をもたらすためのモータ構成と、を含む駆動系と、
前記処置ヘッドがスキンケア手順を実行するよう、前記駆動系を制御するためのコントローラと、
前記駆動系に装着されたときに個々の処置ヘッドを検出するための、センサと、
を有し、前記コントローラは、前記センサに応答して、添付される請求項において更に定義されるように、前記駆動系に装着された個々の処置ヘッドに依存して、対象の身体のそれぞれの領域に適した個々のスキンケアルーチンのシーケンスにおけるスキンケア手順を実行するよう前記駆動系を制御し、前記コントローラは更に、スキンケアルーチンの個別のそれぞれのための前記駆動系のための駆動パラメータを制御するよう、前記モータ構成を制御するよう動作可能である、装置。
【請求項２】
前記コントローラは、前記駆動系に装着された個々の前記処置ヘッドに依存した、対象の皮膚のそれぞれの領域に適した個々のスキンケアルーチンのシーケンスの駆動パラメータについての値が保存された、関連するメモリを持つ、請求項１に記載の装置。
【請求項３】
前記センサは、前記駆動系に装着された前記処置ヘッドにおける識別素子を無線的に検出するよう構成された、請求項１又は２に記載の装置。
【請求項４】
前記センサは、前記処置ヘッドにおける無線自動識別タグを検出するよう構成された近接場通信装置を含む、請求項３に記載の装置。
【請求項５】
前記モータ構成は、前記駆動シャフトを回転させるよう結合された第１のモータと、前記駆動シャフトに振動運動を与えるよう構成された駆動コイル及び磁気部材を有する第２のモータと、を有する、請求項１乃至４のいずれか一項に記載の装置。
【請求項６】
前記駆動パラメータは、前記スキンケアルーチンのそれぞれ個々についての前記駆動系の回転の速度及び方向を含む、請求項１乃至５のいずれか一項に記載の装置。
【請求項７】
前記駆動パラメータは、前記スキンケアルーチンの個々についての前記駆動系の振動運動の周波数又は振幅を含む、請求項１乃至６のいずれか一項に記載の装置。
【請求項８】
前記駆動パラメータは、前記スキンケアルーチンの個々についての前記駆動系の振動運動に適用される振幅変調を含む、請求項７に記載の装置。
【請求項９】
前記駆動パラメータは、前記スキンケアルーチンの個々の継続時間を含む、請求項１乃至８のいずれか一項に記載の装置。
【請求項１０】
前記コントローラは、前記センサによる特定の前記処置ヘッドに対応する信号の供給に応答して、前記メモリから前記検出された処置ヘッドについての駆動パラメータの保存された値を取得し、前記特定の前記処置ヘッドについて前記メモリから取得された前記駆動パラメータに応じて、対象の皮膚のそれぞれの領域に適した個々のルーチンのシーケンスを実行するよう前記駆動系を制御するよう構成された、請求項１乃至９のいずれか一項に記載の装置。
【請求項１１】
少なくとも１つの前記交換可能な処置ヘッドを含む、請求項１乃至１０のいずれか一項に記載の装置。
【請求項１２】
前記スキンケアルーチンは、ユーザによって編集可能又は適合可能である、請求項１乃至１１のいずれか一項に記載の装置。
【請求項１３】
請求項１乃至１２のいずれか一項に記載の装置に結合され、個々の前記処置ヘッドについての前記メモリに保存された前記駆動パラメータを選択的に制御するよう、プロセッサにより実行される、コンピュータプログラム。
【請求項１４】
前記スキンケアルーチンは、ユーザによって編集可能又は適合可能である、請求項１３に記載のコンピュータプログラム。
【請求項１５】
個々の前記処置ヘッドについての前記メモリに保存された前記駆動パラメータを選択的に制御するために前記スキンケア装置と無線通信するよう、及び／又は、保存されたユーザの好みの前記駆動パラメータの値を更新又は修正するようリモートのデータ源と通信するよう、モバイル型通信装置によって実行される、請求項１３又は１４に記載のコンピュータプログラム。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
ネブライザ（１）のための容器（３）であって、
前記容器（３）が、流体（２）を収容し、
前記容器（３）が、該容器（３）を用いて実施されたか又は依然として可能な使用回数を計数する及び／又は示すための表示デバイス（２５）を含み、
前記表示デバイス（２５）は、前記容器（３）のベース（２１）に固定的に配置され、
前記表示デバイス（２５）は、前記容器（３）の出口又はヘッド（２８）の反対側の前記容器（３）のハウジング（２９）と分離不能に接続された表示器ハウジング（３１）を含み、
前記表示器ハウジング（３１）は、超音波溶接によって溶かされた部分で前記容器（３）と接続されていることを特徴とする容器（３）。
【請求項２】
ネブライザ（１）のための容器（３）であって、
前記容器（３）が、流体（２）を収容し、
前記容器（３）が、該容器（３）を用いて実施されたか又は依然として可能な使用回数を計数する及び／又は示すための表示デバイス（２５）を含み、
前記表示デバイス（２５）は、前記容器（３）のベース（２１）に固定的に配置され、
前記表示デバイス（２５）は、前記容器（３）の出口又はヘッド（２８）の反対側の前記容器（３）のハウジング（２９）と分離不能に接続された表示器ハウジング（３１）を含み、
前記表示器ハウジング（３１）は、ホットプレスによって溶かされた部分で前記容器（３）と接続されていることを特徴とする容器（３）。
【請求項３】
ネブライザ（１）のための容器（３）であって、
前記容器（３）が、流体（２）を収容し、
前記容器（３）が、該容器（３）を用いて実施されたか又は依然として可能な使用回数を計数する及び／又は示すための表示デバイス（２５）を含み、
前記表示デバイス（２５）は、前記容器（３）の出口又はヘッド（２８）の反対側の前記容器（３）のハウジング（２９）と分離不能に接続された表示器ハウジング（３１）を含み、
前記表示器ハウジング（３１）は、接着剤（７４）で前記容器（３）と接続されており、接着剤（７４）は、放射線又は光によって硬化される、
ことを特徴とする容器（３）。
【請求項４】
前記表示器ハウジング（３１）は、前記容器（３）の前記ハウジング（２９）に対する回転に対して固定されることを特徴とする請求項１から請求項３のいずれか１項に記載の容器。
【請求項５】
前記容器（３）の前記ハウジング（２９）は、前記容器（３）の該ハウジング（２９）に対する回転に対して前記表示器ハウジング（３１）を固定するために、回転非対称なセクション、好ましくは、窪み、突起、又は平坦部（７５）を含むことを特徴とする請求項１から請求項４のいずれか１項に記載の容器。
【請求項６】
前記表示器ハウジング（３１）は、リフル（７７）、窪み（７８）、又は突出部（７９）を含むことを特徴とする請求項１から請求項５のいずれか１項に記載の容器。
【請求項７】
流体（２）を収容する取替可能な容器（３）と、
前記容器（３）を受け入れるためのネブライザハウジング（２４）と、
前記容器（３）を取り替えるために前記ネブライザハウジング（２４）から取り外すことができるハウジング部分（１８）と、
前記容器（３）を用いて実施されたか又は依然として可能な使用回数を計数する及び／又は示すための表示デバイス（２５）と、
を含み、
前記容器（３）が、噴霧中に閉じた前記ネブライザハウジング（２４）内で軸線方向に移動可能である、
流体（２）のためのネブライザ（１）であって、
前記表示デバイス（２５）は、該表示デバイス（２５）が前記容器（３）と共に取替可能であるように、該容器（３）のハウジング（２９）と分離不能に接続されるが、前記ネブライザハウジング（２４）及びハウジング部分（１８）からは分離可能である表示器ハウジング（３１）を含み、
前記容器（３）は、請求項１から請求項６のいずれか１項によって構成される、
ことを特徴とするネブライザ（１）。
【請求項８】
ネブライザ（１）と共に使用するためのかつ流体（２）を収容する容器（３）を、該容器（３）を用いて実施されたか又は依然として可能な使用回数を計数する及び／又は示すための表示デバイス（２５）と接続する方法であって、
前記表示デバイス（２５）は、前記容器（３）の出口又はヘッド（２８）の反対側の該容器（３）のハウジング（２９）と分離不能に接続された表示器ハウジング（３１）を含み、
前記表示デバイス（２５）は、前記容器（３）のベース（２１）に配置され、
前記表示デバイス（２５）の又は前記表示器ハウジング（３１）のカラー又は把持セクション（３２）が、前記容器（３）の突起にわたって、及び／又は該容器（３）のハウジング（２９）における窪みの中に、形成されるか又は曲げられることを特徴とする方法。
【請求項９】
ツールが、前記カラー又は前記把持セクション（３２）を形成するか又は曲げるために使用され、それによって該ツールは、前記容器ベース（２１）、縁部（３０）、及び／又は把持セクション（３２）、及び／又は接続区域に向けて前記容器（３）の上を長手方向に移動される、
ことを特徴とする請求項８に記載の方法。
【請求項１０】
前記ツールは、前記容器（３）に向けて及び／又は半径方向内向きに前記カラー又は把持セクション（３２）を形成するための好ましくは円錐形の端部セクションを含む、
ことを特徴とする請求項９に記載の方法。
【請求項１１】
前記表示デバイス（２５）又は前記表示器ハウジング（３１）は、前記容器（３）とホットプレス又はホットスタンピングによって接続されることを特徴とする請求項８から請求項１０のいずれか１項に記載の方法。
【請求項１２】
前記表示デバイス（２５）又は前記表示器ハウジング（３１）は、前記容器（３）と好ましくは超音波形成によって接続され、及び／又は
超音波ソノトロードが、前記表示デバイス（２５）又は表示器ハウジング（３１）を前記容器（３）又は前記容器ハウジング（２９）と接続するのに使用される、
ことを特徴とする請求項８から請求項１０のいずれか１項に記載の方法。
【請求項１３】
分子振動が、前記カラー又は把持セクション（３２）の材料内で長手方向に又は横断方向に又は楕円方式で又は捩れ方式で励起されることを特徴とする請求項１２に記載の方法。
【請求項１４】
容器（３）を、該容器（３）を用いて実施されたか又は依然として可能な使用回数を計数する及び／又は示すための表示デバイス（２５）と接続する方法であって、
前記容器（３）はネブライザ（１）と共に使用するためのかつ流体（２）を収容する容器（３）であり、
前記表示デバイス（２５）は、前記容器（３）の出口又はヘッド（２８）の反対側の前記容器（３）のハウジング（２９）と分離不能に接続された表示器ハウジング（３１）を含み、
前記表示器ハウジング（３１）は、接着による物質間結合によって前記容器（３）と接続され、接着剤（７４）が、放射線又は光によって硬化される、
ことを特徴とする方法。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
フェーシャルまたはボディ洗浄ブラシシステムであって、
基地局と、
ブラシ装置と、を備え、
前記ブラシ装置はブラシ・ヘッドを含み、
前記ブラシ装置は前記基地局の頂部に着座し、
前記基地局は、前記基地局の前記頂部から前記基地局の底部まで延びるキャビティを有し、前記キャビティは前記頂部及び前記底部においてそれぞれ開口しており、
前記ブラシ装置が前記基地局の前記頂部に着座したとき、前記基地局のうち前記キャビティのみが前記ブラシ・ヘッドの直下に位置し、
前記基地局と該基地局が支持される面との間に空気の流れを許容する間隙を確保するべく、前記基地局の下には脚部が設けられ、
前記基地局と該基地局に着座する前記ブラシ装置との間に空気の流れを許容する間隙を確保するべく、前記基地局には溝、リブ又はフィンが設けられることを特徴とするフェーシャルまたはボディ洗浄ブラシシステム。
【請求項２】
前記システムはファンを含むことを特徴とする請求項１に記載のフェーシャルまたはボディブラシ・システム。
【請求項３】
前記システムは洗浄オプティマイザーおよび洗浄スケジューラを含むことを特徴とする請求項１に記載のフェーシャルまたはボディブラシ・システム。
【請求項４】
前記システムは１つ以上の紫外線光源を含むことを特徴とする請求項１に記載のフェーシャルまたはボディブラシ・システム。
【請求項５】
前記システムは１つ以上のモーターを含むことを特徴とする請求項１に記載のフェーシャルまたはボディブラシ・システム。
【請求項６】
前記システムは１つ以上の反射器を含むことを特徴とする請求項１に記載のフェーシャルまたはボディブラシ・システム。
【請求項７】
前記システムは湿度センサーを含むことを特徴とする請求項１に記載のフェーシャルまたはボディブラシ・システム。
【請求項８】
前記システムはモーター制御装置を含むことを特徴とする請求項１に記載のフェーシャルまたはボディブラシ・システム。
【請求項９】
前記システムは回転および振動モーター・アクション・オプションを備えるモーターを含むことを特徴とする請求項１に記載のフェーシャルまたはボディブラシ・システム。
【請求項１０】
前記システムは変更可能なブラシ先端あるいはブラシ・ヘッドを含むことを特徴とする請求項１に記載のフェーシャルまたはボディブラシ・システム。
【請求項１１】
前記システムは充電コイル・モジュールを含むことを特徴とする請求項１に記載のフェーシャルまたはボディブラシ・システム。
【請求項１２】
前記システムはバッテリーを含むことを特徴とする請求項１に記載のフェーシャルまたはボディブラシ・システム。
【請求項１３】
前記システムは凹面レンズまたは凸面レンズ、鏡、あるいは反射器を含むことを特徴とする請求項１に記載のフェーシャルまたはボディブラシ・システム。
【請求項１４】
前記システムはリモート・ヒーターあるいはランプ・ヒーターを含むことを特徴とする請求項１に記載のフェーシャルまたはボディブラシ・システム。
【請求項１５】
前記システムは充電インジケータ・ディスプレイを含むことを特徴とする請求項１に記載のフェーシャルまたはボディブラシ・システム。
【請求項１６】
前記システムは洗浄インジケータ・ディスプレイを含むことを特徴とする請求項１に記載のフェーシャルまたはボディブラシ・システム。
【請求項１７】
フェーシャルまたはボディ洗浄ブラシシステムであって、
チャンバを有する基地局であって、前記チャンバは前記基地局の頂部から前記基地局の底部まで延びるとともに前記頂部及び前記底部においてそれぞれ開口しているキャビティである、基地局と、
ブラシ・ヘッドを有するブラシ装置と、
紫外線光を放射する光源であって、前記ブラシ・ヘッドの周囲を包囲する環状の光源と、
湿度センサーと、
プロセッサーと、
ファンと、を備え、
前記湿度センサーは前記プロセッサーに接続され、
前記プロセッサーはファン制御装置を制御し、
前記プロセッサーはヒーター制御装置を制御し、
前記ファン制御装置は前記ファンの回転速度を制御し、
前記プロセッサーは前記光源を制御し、
前記プロセッサーは洗浄オプティマイザーを制御し、
前記プロセッサーは前記光源の周期性、時間及び強度を制御することを特徴とするフェーシャルまたはボディ洗浄ブラシシステム。
【請求項１８】
フェーシャルまたはボディ洗浄ブラシシステムであって、
チャンバを有する基地局であって、前記チャンバは前記基地局の頂部から前記基地局の底部まで延びるとともに前記頂部及び前記底部においてそれぞれ開口しているキャビティである、基地局と、
交換可能なブラシ・ヘッドを有するブラシ装置と、
前記キャビティの内部に気流を生じさせるファンと、
前記チャンバを清掃するために利用されるチャンバ清掃ブラシと、を備えることを特徴とするフェーシャルまたはボディ洗浄ブラシシステム。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
歯を治療する装置であって、
アクセスポートを有するチャンバであって、前記アクセスポートは、前記チャンバが前記歯に結合されると前記歯の治療領域と流体連通するように前記チャンバを配置し、前記アクセスポートが中心軸を有する、チャンバと、
前記チャンバ内に回転流体運動を発生させるように構成された流体運動発生器と、
吸引ポートであって、前記チャンバの前記アクセスポートとは反対側において前記チャンバと連通し、かつ前記アクセスポートに対して前記アクセスポートの前記中心軸が前記吸引ポートを通過するように配置されている吸引ポートと
を備える装置。
【請求項２】
前記吸引ポートは、前記中心軸を中心に対称である、請求項１に記載の装置。
【請求項３】
前記吸引ポートの中心が前記中心軸に位置する、請求項１または２に記載の装置。
【請求項４】
前記流体運動発生器は、前記中心軸の周囲に渦巻流入流体路を発生させる、請求項１〜３のいずれか一項に記載の装置。
【請求項５】
前記吸引ポートに吸引力が加えられた状態で、前記渦巻流入流体路の内部を流れる経路において流出流体を前記治療領域から前記吸引ポートに引き出すように構成されている、請求項４に記載の装置。
【請求項６】
前記中心軸は前記吸引ポートに対して実質的に垂直に位置する、請求項５に記載の装置。
【請求項７】
前記吸引ポートは前記アクセスポートより小さい、請求項１〜６のいずれか一項に記載の装置。
【請求項８】
前記流体運動発生器は、前記チャンバの側壁に配置され、かつ前記アクセスポートの前記中心軸を略横切るように位置する流れ方向に液体を方向付けるように向けられている、請求項１〜７のいずれか一項に記載の装置。
【請求項９】
前記流体方向は、前記チャンバの壁に略接している、請求項８に記載の装置。
【請求項１０】
前記吸引ポートは、前記アクセスポートと対向する前記チャンバの上壁に配置されている、請求項１〜９のいずれか一項に記載の装置。
【請求項１１】
前記チャンバは、前記アクセスポートを画定する先端部分を備え、前記先端部分は、前記歯のアクセス開口部内に挿入されるサイズおよび形状であり、かつ前記中心軸に向かって先端側にテーパ状である、請求項１〜１０のいずれか一項に記載の装置。
【請求項１２】
前記流体運動発生器は液体ジェット装置を含む、請求項１〜１１のいずれか一項に記載の装置。
【請求項１３】
少なくとも１つの通気孔をさらに備え、前記通気孔は、前記吸引ポートが前記吸引ポートから延在する出口通路に沿って前記チャンバと前記通気孔との間に位置するように、前記吸引ポートの下流に配置されている、請求項１〜１２のいずれか一項に記載の装置。
【請求項１４】
各通気孔は、前記出口通路に沿って配置され、かつ前記出口通路において流体流出方向に向かって角度が付けられている、請求項１３に記載の装置。
【請求項１５】
ハンドピースと、前記ハンドピースの先端部分の歯結合器とをさらに備え、前記チャンバは、前記歯結合器内に配置されている、請求項１〜１４のいずれか一項に記載の装置。
【請求項１６】
前記歯結合器から延在する封止部材をさらに備え、前記封止部材は、前記治療領域を封止するように構成されている、請求項１５に記載の装置。
【請求項１７】
前記チャンバと流体連通する操作盤をさらに備え、前記操作盤は、流体を前記チャンバに押し込みかつ前記チャンバから吸引する１つまたは複数のポンプを備える、請求項１〜１６のいずれか一項に記載の装置。
【請求項１８】
前記アクセスポートの外径または主寸法は、約０．５ｍｍ〜約５ｍｍの範囲である、請求項１〜１７のいずれか一項に記載の装置。
【請求項１９】
歯を治療する装置であって、
アクセスポートを画定する先端部分を有するチャンバであって、前記アクセスポートが、前記チャンバが前記歯に結合されると前記歯の治療領域と流体連通するように前記チャンバを配置し、前記アクセスポートが中心軸を有する、チャンバと、
前記チャンバに結合された流体運動発生器であって、前記チャンバ内に回転流体運動を発生させるように構成された流体運動発生器と
を備え、
前記先端部分は、前記歯のアクセス開口部内に挿入されるサイズおよび形状であり、前記先端部分が前記中心軸に向かって先端側にテーパ状である、装置。
【請求項２０】
前記先端部分の内面が前記中心軸に向かって先端側にテーパ状である、請求項１９に記載の装置。
【請求項２１】
前記チャンバおよび前記治療領域から流体を除去する、前記チャンバと連通している吸引ポートをさらに備える、請求項１９または２０に記載の装置。
【請求項２２】
歯を治療する装置であって、
アクセスポートを有するチャンバであって、前記アクセスポートは、前記チャンバが前記歯に結合されると前記歯の治療領域と流体連通するように前記チャンバを配置し、前記アクセスポートが中心軸を有する、チャンバと、
前記チャンバに結合された流体運動発生器であって、前記中心軸の周囲に渦巻流入流体路を発生させるように構成された流体運動発生器と、
前記治療領域および前記チャンバから流体を除去するように構成された吸引ポートと
を備え、
前記吸引ポートに吸引力が加えられた状態で、前記渦巻流入流体路内部を流れる経路において流出流体を前記治療領域から前記吸引ポートに引き出すように構成されている、装置。
【請求項２３】
前記アクセスポートの前記中心軸は前記吸引ポートを通過する、請求項２２に記載の装置。
【請求項２４】
前記吸引ポートは前記中心軸を中心に対称である、請求項２２または２３に記載の装置。
【請求項２５】
前記吸引ポートは、前記チャンバの上壁の中心にまたはその近くに配置されている、請求項２２〜２４のいずれか一項に記載の装置。
【請求項２６】
前記中心軸は前記吸引ポートに対して略垂直に位置する、請求項２２〜２５のいずれか一項に記載の装置。
【請求項２７】
前記吸引ポートは前記アクセスポートより小さい、請求項２２〜２６のいずれか一項に記載の装置。
【請求項２８】
前記流体運動発生器は、前記チャンバの側壁に配置され、かつ前記アクセスポートの前記中心軸を略横切るように位置する流れ方向に液体を方向付けるように向けられている、請求項２２〜２７のいずれか一項に記載の装置。
【請求項２９】
前記流体運動発生器は液体ジェット装置を含む、請求項２２〜２８のいずれか一項に記載の装置。
【請求項３０】
少なくとも１つの通気孔をさらに備え、前記通気孔は、前記吸引ポートが前記吸引ポートから延在する出口通路に沿って前記チャンバと前記通気孔との間に位置するように、前記吸引ポートの下流に配置されている、請求項２２〜２９のいずれか一項に記載の装置。
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
内視鏡の洗浄装置であって、
長尺フレキシブルベース部と、
前記ベース部に沿って軸方向に離間して配置されたディスク群と、を備え、
前記ディスク群の各ディスクは、該ディスクの中心で前記ベース部に沿って配置されていると共に、
前記ディスク群のうちの少なくとも１枚のディスクの周長が、前記ディスク群のうちの隣接するディスクの周長と異なることを特徴とする。
【請求項２】
請求項１に記載の洗浄装置であって、前記ベース部がカテーテルであることを特徴とする。
【請求項３】
請求項１に記載の洗浄装置であって、前記ベース部がツイストワイヤであることを特徴とする。
【請求項４】
請求項１に記載の洗浄装置であって、
前記ディスク群のうち、隣接するいずれか２枚のディスク間における軸方向距離が、当該隣接する２枚のディスクのうちの少なくとも１枚のディスクにおける前記ベース部からの最大半径距離よりも短いことを特徴とする。
【請求項５】
請求項１に記載の洗浄装置であって、
前記ディスク群のうちの少なくとも１枚のディスクの前記ベース部からの最大半径距離が、前記ディスク群のうちの隣接するディスクにおける前記ベース部からの最大半径距離と異なることを特徴とする。
【請求項６】
請求項１に記載の洗浄装置であって、
前記ディスク群のうちの少なくとも１枚のディスクの前記ベース部からの最小半径距離が、前記ディスク群のうちの隣接するディスクにおける前記ベース部からの最小半径距離と異なることを特徴とする。
【請求項７】
請求項１に記載の洗浄装置であって、前記ディスク群の各ディスクがシースに固定されていることを特徴とする。
【請求項８】
請求項７に記載の洗浄装置であって、前記シースが前記ベース部の遠位端に固定されていることを特徴とする。
【請求項９】
請求項８に記載の洗浄装置であって、前記シースの全長を、前記ベース部に対して移動可能であることを特徴とする。
【請求項１０】
請求項１に記載の洗浄装置であって、さらに、内視鏡装置に対する前記洗浄装置の挿入深さを規制する機械的ストッパを有することを特徴とする。
【請求項１１】
請求項１０に記載の洗浄装置であって、前記機械的ストッパが、ブラシの近位端側に設けられていることを特徴とする。
【請求項１２】
請求項１に記載の洗浄装置であって、さらに、ブラシ部品を備えることを特徴とする。
【請求項１３】
請求項１２に記載の洗浄装置であって、前記ブラシ部品が、前記ディスク群の遠位端側に配置されていることを特徴とする。
【請求項１４】
請求項１に記載の洗浄装置であって、さらに、前記ベース部に沿って軸方向に離間された第２ディスク群を備え、
前記第２ディスク群の各ディスクは、該ディスクの中心で前記ベース部に沿って配置されていると共に、
前記第２ディスク群が、前記第１ディスク群から軸方向に離間して配置されていることを特徴とする。
【請求項１５】
内視鏡の洗浄装置であって、
カテーテルと、
前記カテーテルに沿って軸方向に離間して配置されたディスク群と、を備え
前記ディスク群の各ディスクは、該ディスクの中心点で前記カテーテルに沿って軸方向に離間されて配置されていると共に、
前記ディスク群のうちの少なくとも１枚のディスクの前記カテーテルからの最大半径距離が、前記ディスク群のうちの隣接するディスクまでの軸方向距離よりも大きいことを特徴とする。
【請求項１６】
請求項１５に記載の洗浄装置であって、さらに、前記カテーテルに固定されたシースを備え、
前記ディスク群が、前記シースに沿って軸方向に離間して配置されていることを特徴とする。
【請求項１７】
請求項１５に記載の洗浄装置であって、さらに、内視鏡装置に対する前記洗浄装置の挿入深さを規制する機械的ストッパを備え、
前記機械的ストッパが前記洗浄装置の遠位端側に設けられていることを特徴とする。
【請求項１８】
請求項１５に記載の洗浄装置であって、前記ディスク群のうちの少なくとも１枚のディスクの周長が、前記ディスク群のうちの隣接するディスクの周長と異なることを特徴とする。
【請求項１９】
内視鏡の洗浄装置であって、
近位端及び遠位端を有するカテーテルと、
前記カテーテルに固定されたスクイージ部品と、を備え、
前記スクイージ部品は、シースと前記シースに沿って軸方向に離間して配置された円形ディスク群とを有し、
前記ディスク群の各ディスクは、該ディスクの中心で前記シース上に配置されていると共に、
前記ディスク群のうちの少なくとも１枚のディスクの前記カテーテルからの最大半径距離が、前記ディスク群のうちの隣接するディスクにおける前記カテーテルからの最大半径距離と異なることを特徴とする。
【請求項２０】
請求項１９に記載の洗浄装置であって、前記ディスク群のうちの隣接するいずれか２枚のディスク間の軸方向距離が、該２枚のディスクのうちの少なくとも１枚のディスクにおける前記カテーテルからの最大半径距離よりも短いことを特徴とする。
【手続補正２】
【補正対象書類名】明細書
【補正対象項目名】００１７
【補正方法】変更
【補正の内容】
【００１７】
別の実施例にあっては、洗浄装置は近位端及び遠位端を有するカテーテルと、前記カテーテルに固定されたスクイージ部品と、を備える。また、前記スクイージ部品はシースと、前記シースに沿って軸方向に離間して並べられた円形ディスク群と、を有する。各ディスクは、その中心が前記シース上に設けられる。該ディスク群の各ディスクは、カテーテルからの最大半径距離が、隣接するディスク群のディスクのカテーテルからの最大半径距離と異なるよう設定されている。
【手続補正３】
【補正対象書類名】明細書
【補正対象項目名】００３０
【補正方法】変更
【補正の内容】
【００３０】
また、ディスク群５４はその他にも構造的特徴を有する。具体的には、ディスク群のうち、隣接するいずれか２枚のディスク間の軸方向距離は、当該隣接する２枚のディスクのうちの少なくとも１枚のディスクにおけるベース部からの最大半径距離よりも短い。例えば、ディスク７５，７４間の距離ｄ４は、ディスク７５のベース部からの高さＨ５よりも短い。ここで、ベース部の外径はカテーテル上のシースにより決まる。かかる構成により、特定の動作条件下において、ディスク７５とディスク７４が接触する。
【手続補正４】
【補正対象書類名】明細書
【補正対象項目名】００４４
【補正方法】変更
【補正の内容】
【００４４】
ここで、洗浄装置の他の実施例を図６に示す。本装置１２０は、内視鏡装置に対する洗浄装置の挿入深さを規制する機械的なストッパを備える。図６は、当該洗浄装置１２０を部分的に示す斜視図である。即ち、ここでは本装置の遠位端１３２側あるブラシ部品のみを示す。ブラシ１２２は、ツイストワイヤ１３０に取り付けられた複数の毛１２４を有する。また、ブラシ１２２の遠位端側１３２には遠位端側ストップボール１２６が設けられる一方、ブラシ１２２の近位端側であってスクイージ（図示なし）の遠位端側となる位置には近位端側ストップボール１２８が設けられている。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
第1のプロセッサと、
複数のメッセージング信号レジスタであって、前記第1のプロセッサが、メッセージング信号の送信セットを前記メッセージング信号レジスタ内に書き込むように構成された、複数のメッセージング信号レジスタと、
複数のGPIOピンと、
前記第1のプロセッサから信号の第1のセットを受信し、前記複数のGPIOピンを介してリモートプロセッサにGPIO信号として前記信号の第1のセットの一部を送信するように構成されたGPIOインターフェースと、
専用送信ピンと、
仮想GPIO信号を含むものとして第1のフレームを識別するように構成されたヘッダを含む前記第1のフレーム内で、前記GPIOインターフェースから前記信号の第1のセットの残りの部分を受信し、前記専用送信ピンを介して前記リモートプロセッサに仮想GPIO信号の送信セットとして前記残りの部分を直列送信するように構成された有限状態機械(FSM)とを備え、前記FSMが、前記専用送信ピンを介して前記リモートプロセッサに前記メッセージング信号を含むものとして第2のフレームを識別するように構成されたヘッダを含む前記第2のフレーム内で前記メッセージング信号の送信セットを取得するようにさらに構成され、前記FSMが、前記第1のフレームおよび前記第2のフレームの長さをプログラムするヘッダを有する第3のフレームを前記リモートプロセッサに前記専用送信ピンを介して送信するようにさらに構成された、集積回路。
【請求項２】
専用受信ピンをさらに備え、前記FSMが、前記専用受信ピンを介して前記リモートプロセッサから仮想GPIO信号の受信セットを直列受信し、前記GPIOインターフェースに前記仮想GPIO信号の受信セットを提供するようにさらに構成された、請求項1に記載の集積回路。
【請求項３】
前記GPIOインターフェースが、前記GPIOピンからGPIO信号の受信セットを受信し、前記第1のプロセッサに前記GPIO信号の受信セットを送信するようにさらに構成された、請求項2に記載の集積回路。
【請求項４】
前記第1のプロセッサが、アプリケーションプロセッサまたはモデムプロセッサを備える、請求項1に記載の集積回路。
【請求項５】
前記FSMが、並列入力直列出力(PISO)シフトレジスタと、直列入力並列出力(SIPO)シフトレジスタとを備える、請求項2に記載の集積回路。
【請求項６】
前記FSMが、前記第1のフレームおよび第2のフレームが開始ビットおよび終了ビットによって各々画定されるように、前記第1のフレームおよび前記第2のフレームを直列送信するようにさらに構成された、請求項2に記載の集積回路。
【請求項７】
前記FSMが、前記リモートプロセッサからの受信フレーム内の終了ビットを受信することの失敗の検出によって、前記リモートプロセッサの失敗を検出するようにさらに構成された、請求項6に記載の集積回路。
【請求項８】
前記FSMが、外部クロックのサイクルに応答して、前記仮想GPIO信号の送信セットおよび前記メッセージング信号の送信セットを直列送信するようにさらに構成された、請求項3に記載の集積回路。
【請求項９】
前記FSMが、前記外部クロックの第1のクロックエッジに応答して前記信号の送信セットを直列送信し、前記外部クロックの第2のクロックエッジに応答して前記受信セットを直列受信するようにさらに構成された、請求項8に記載の集積回路。
【請求項１０】
前記FSMが、パルス幅変調信号として前記信号の送信セットを直列送信するようにさらに構成された、請求項3に記載の集積回路。
【請求項１１】
前記FSMが、発振器と、前記発振器からの発振をカウントする少なくとも1つのカウンタとを含み、前記FSMが、前記少なくとも1つのカウンタからのカウントに応答して各パルス幅変調信号のためのパルス幅を決定するようにさらに構成された、請求項10に記載の集積回路。
【請求項１２】
前記発振器が、リング発振器である、請求項11に記載の集積回路。
【請求項１３】
前記FSMが、第1のパルス幅または第2のパルス幅のいずれかを有するように各パルス幅変調信号を生成するようにさらに構成され、前記第2のパルス幅が、前記第1のパルス幅よりも大きい、請求項10に記載の集積回路。
【請求項１４】
第1のプロセッサからGPIOインターフェースにおいてGPIO信号のセットを受信するステップと、
専用GPIOピンを介してリモートプロセッサに前記GPIO信号のセットの一部を送信するステップと、
仮想GPIO信号を含むものとして第1のフレームを識別するように構成されたヘッダを含む前記第1のフレーム内で、仮想GPIO信号として前記リモートプロセッサに前記GPIO信号のセットの残りの部分を、専用送信ピンを介して直列送信するステップと、
前記第1のプロセッサによって書き込まれたメッセージング信号レジスタからメッセージング信号を取得し、前記メッセージング信号を含むものとして第2のフレームを識別するように構成されたヘッダを含む前記第2のフレーム内で、前記リモートプロセッサに前記専用送信ピンを介して、前記取得したメッセージング信号を直列送信するステップと、
前記第1のフレームおよび前記第2のフレームの長さをプログラムするものとして第3のフレームを識別するヘッダを含む前記第3のフレームを、前記リモートプロセッサに前記専用送信ピンを介して直列送信するステップと
を備える方法。
【請求項１５】
専用受信ピンを介して前記リモートプロセッサから仮想GPIO信号の受信セットを直列受信するステップと、
前記専用GPIOピンを介して前記リモートプロセッサからGPIO信号の受信セットを直列受信するステップと、
前記GPIOインターフェースを介して前記第1のプロセッサに前記仮想GPIO信号の受信セットおよび前記GPIO信号の受信セットを提供するステップと
をさらに備える、請求項14に記載の方法。